(57)【要約】【課題】ゴミ袋の大きさや量に合わせた大きさの開口部を任意に形成することが可能であるとともに、比較的小型のゴミ袋の場合には極めて少ない労力で投入が可能であって、老人や子供にとって使い易いばかりでなく効率的な回収作業にも適するものとする。【解決手段】箱体２の上面２１に形成された開口部２３の後辺２４に沿って左右方向に延びる複数の支軸３１，４１を上下および前後方向に所定間隔を有して側壁５１，５２間に架設し、開口部２３を覆う複数枚の扉体６１，６２をそれらの後端縁に設けた管状部片７１，７２を各支軸３１，４１に嵌装して回動およびスライド可能にそれぞれ支持させるとともに前端縁を開口部２３の前辺２５に沿ってスライド可能に支持させる。扉体６１，６２のいずれかをスライドさせるか回動し、または全部を回動することによって開口部２３を小開口から全開まで任意に開口できるものである。【選択図】      図１
2005082388.tif 000002
【特許請求の範囲】
【請求項１】
箱体の上面に形成された開口部の後辺に沿って左右方向へ延びる複数の支軸が上下および前後に間隔を有して互いに平行に配置されており、複数の扉体がそれらの後端縁裏面に設けた管状部片を前記支軸に嵌装するとともに前端縁を前記開口部の前辺に載せることにより前記開口部を覆って設置され、そして前記各扉体は前記管状部片を嵌装させた前記支軸のそれぞれを中心として個別に回動可能とされているとともに前記支軸および前辺に沿って個別に左右方向にスライド可能とされていることを特徴とするゴミ収集箱。
【請求項２】
前記開口部の前辺に沿って左右方向へ延びる複数のレールが前後に間隔を有して互いに平行に設置されており、前記複数の扉体は前記上方の支軸に後端縁を支持させたものの前端縁が前記前部のレールに載り、前記下方の支軸に後端縁を支持させたものの前端縁が前記後部のレールに載っている請求項１記載のゴミ収集箱。
【請求項３】
前記複数の扉体をスライドさせて互いに重なるようにした状態からそれぞれの扉体を回動させて開いたとき、前記扉体の内で最上の支軸に後端縁を支持させたものは後端縁表面が前記開口部の後辺に当接してほぼ直立の開扉位置を保持し、他の支軸に後端縁を支持させた扉体はその上方の支軸に支持されて開扉位置とされている扉体の前記管状部片に当接してほぼ直立の開扉位置を保持するものとされている請求項１，２いずれか記載のゴミ収集箱。
【請求項４】
前記複数の扉体が前記開口部のほぼ全部を覆った状態からそれぞれの扉体を回動させて開いたとき、前記扉体の内で最上の支軸に後端縁を支持させたものは後端縁表面が前記開口部の後辺に当接してほぼ直立の開扉位置を保持し、他の支軸に後端縁を支持させた扉体はその上方の支軸に支持されて開扉位置とされている扉体に当接してほぼ直立の開扉位置を保持するものとされている請求項１，２いずれか記載のゴミ収集箱。
【請求項５】
前記管状部片が短尺であってその複数個が前記扉体の後端縁裏面に設けられている請求項１，２，３，４いずれか記載のゴミ収集箱。
【請求項６】
箱体の上面に形成された開口部の一側辺に沿って前後方向へ延びる複数の支軸が上下および左右に間隔を有して互いに平行に配置されており、複数の扉体がそれらの一側縁裏面に設けた管状部片を前記支軸に嵌装するとともに対向する他側縁を前記開口部の対向する他側辺に載せることにより前記開口部を覆って設置され、そして前記各扉体は前記管状部片を嵌装させた前記支軸のそれぞれを中心として個別に回動可能とされているとともに前記支軸および側辺に沿って個別に前後方向にスライド可能とされていることを特徴とするゴミ収集箱。
【請求項７】
前記開口部の前記支軸と対向する他側辺に沿って前後方向へ延びる複数のレールが上下あるいは上下左右に間隔を有して互いに平行に設置されており、前記複数の扉体は前記上方の支軸に一側縁を支持させたものの対向する他側縁が前記上部のレールに載り、前記下方の支軸に一側縁を支持させたものの対向する他側縁が前記下部のレールに載っている請求項６記載のゴミ収集箱。
【請求項８】
前記複数の扉体をスライドさせて互いに重なるようにした状態からそれぞれの扉体を回動させて開いたとき、前記扉体の内で最上の支軸に一側縁を支持させたものは一側縁表面が前記開口部の一側辺に当接してほぼ直立の開扉位置を保持し、他の支軸に一側縁を支持させた扉体はその一側辺側の支軸に支持されて開扉位置とされている扉体の前記管状部片に当接してほぼ直立の開扉位置を保持するものとされている請求項６，７いずれか記載のゴミ収集箱。
【請求項９】
前記複数の扉体が前記開口部のほぼ全部を覆った状態からそれぞれの扉体を回動させて開いたとき、前記扉体の内で最上の支軸に一側縁を支持させたものは一側縁表面が前記開口部の一側辺に当接してほぼ直立の開扉位置を保持し、他の支軸に一側縁を支持させた扉体はその上方の支軸に支持されて開扉位置とされている扉体に当接してほぼ直立の開扉位置を保持するものとされている請求項６，７いずれか記載のゴミ収集箱。
【請求項１０】
前記管状部片が短尺であってその複数個が前記扉体の一側縁裏面に設けられている請求項６，７，８，９いずれか記載のゴミ収集箱。
【請求項１１】
前記レールが丸棒鋼で形成されている請求項２，７いずれか記載のゴミ収集箱。
【発明の詳細な説明】
【技術分野】
【０００１】
本発明は、主に屋外に設置して使用するゴミ収集箱に関する。
【背景技術】
【０００２】
従来、自治体などにより集中したゴミ収集を行う目的で、家庭などから排出されるゴミ袋を所定箇所に集めておくことが行われており、その際、烏や猫などの鳥獣類や風などによるゴミの散乱を防ぐためにゴミ収集箱を設置することが一部で行なわれている。
【０００３】
このゴミ収集箱は、金属板、金網などで作った箱体の上面や前面に形成した開口部に設けた扉体を開閉してゴミ袋を出し入れするようにしたものが一般的である。そして、扉体は後辺を箱体にヒンジ結合し、回動させて開閉する（特許文献１参照）か、または箱体にレールを設けて横方向にスライドさせて開閉する（特許文献２参照）のが普通である。
【特許文献１】特開平１１−３２２００１号公報
【特許文献２】特開平６−１９９４０１号公報
【発明の開示】
【発明が解決しようとする課題】
【０００４】
ところが、前記特許文献１に提示されているように、ヒンジ結合により回動して開閉する扉体を備えたものにあっては、扉体を回動させて開閉する際、その重量のため多大な労力の負担を強いられ、特に小柄な人や非力な老人や子供には負担が大きい。またこのタイプの扉体は開口部の全部を大きく開くことができるので、大量あるいは大きなゴミ袋の出し入れには適しており、且つ箱体の隅に溜まっているゴミ袋の取り出しも簡単であるので回収作業も容易であるが、反面小さなゴミ袋であってもその都度扉体を回動させて全開し大きな開口部を露出させることになり、必要のない多大な労力の負担を強いられることとなる。
【０００５】
一方、前記特許文献２に提示されているように、横方向にスライドして開閉する扉体を備えたものにあっては、扉体を持ち上げるように回動させて開くことなしにゴミ袋を出し入れすることが可能であるが、開口部全体を開くことができないので、大きなゴミ袋を投入することができない場合があるとともに、回収時にも溜まっているゴミ袋を取り出すのが困難であり、例えばゴミ収集箱の前面などに別途に大きく開口する回収扉を必要とする場合がある。
【０００６】
本発明が解決しようとする課題は、ゴミ袋の大きさや量に合わせた開口部を形成することが可能であるとともに、比較的小さいゴミ袋の場合には極めて少ない労力で投入が可能であって老人や子供にとって使い易いばかりでなく、効率的な回収作業にも適したゴミ収集箱を提供することである。
【課題を解決するための手段】
【０００７】
本発明は前記の課題を解決するため、箱体の上面に形成された開口部の後辺に沿って複数の支軸が上下および前後に間隔を有して左右の側壁間に互いに平行に架設されており、複数の扉体がそれらの後端縁裏面に設けた管状部片を前記支軸に嵌装するとともに前端縁を前記開口部の前辺に載せることにより前記開口部を覆って設置され、そして前記各扉体は前記管状部片を嵌装させた前記支軸のそれぞれを中心として個別に回動可能とされているとともに前記支軸および前辺に沿って個別に横方向にスライド可能とされていることを第一手段とする。
【０００８】
そして、各扉体をそれぞれを支持した支軸に沿って横方向にスライドさせて、或いはいずれかの扉体を支軸を中心として回動させて箱体の上面に形成された開口部の一部を開放することにより、比較的小さいゴミ袋を投入する際に少ない労力で投入作業を可能とし、また各扉体を支軸を中心として回動させて開口部を全開することにより大きなゴミ袋に対応することができる。
【０００９】
また、前記開口部の前辺に沿って左右方向へ延びる複数のレールが前後に間隔を有して互いに平行に設置されており、前記複数の扉体は前記上方の支軸に後端縁を支持させたものの前端縁が前記前部のレールに載り、前記下方の支軸に後端縁を支持させたものの前端縁が前記後部のレールに載っているものとした場合は、各扉体を小さい力で円滑にスライドさせることができる。
【００１０】
更に、前記複数の扉体をスライドさせて互いに重なるようにした状態からそれぞれの扉体を回動させて開いたとき、前記扉体の内で前記上方の支軸に後端縁を支持させたものは後端縁表面が前記開口部の後辺に当接してほぼ直立の開扉位置を保持し、前記下方の支軸に後端縁を支持させたものはその上方の支軸に支持されて開扉位置とされているものの前記管状部片に当接してほぼ直立の開扉位置を保持するものとされている場合、あるいは前記複数の扉体が前記開口部のほぼ全部を覆った状態からそれぞれの扉体を回動させて開いたとき、前記扉体の内で最上の支軸に後端縁を支持させたものは後端縁表面が前記開口部の後辺に当接してほぼ直立の開扉位置を保持し、他の支軸に後端縁を支持させた扉体はその上方の支軸に支持されて開扉位置とされている扉体に当接してほぼ直立の開扉位置を保持するものとされている場合は、各扉体を安定よく開き位置に保持することができる。
【００１１】
本発明はまた、前記の課題を解決するため、箱体の上面に形成された開口部の一側辺に沿って複数の支軸が上下および左右に間隔を有して前後の壁間に互いに平行し架設されており、複数の扉体がそれらの一側縁裏面に設けた管状部片を前記支軸に嵌装するとともに対向する他側縁を前記開口部の対向する他側辺に載せることにより前記開口部を覆って設置され、そして、前記各扉体は前記管状部片を嵌装させた前記支軸のそれぞれを中心として個別に回動可能とされているとともに前記支軸および側辺に沿って個別に前後方向にスライド可能とされていることを第二手段とする。
【００１２】
このようにすると、扉体をスライドさせるときに力を加える方向が身体側から前方へまっすぐに押すこととなって力を加えやすく、また回動させて開ける時は扉体の前端が左右方向に動くので身体から遠くならず小柄な人にも扱いやすく、さらに扉体を一枚分スライドさせるだけで、開口部の左右方向が全開となるので、長尺のゴミを投入するとき便利である。
【００１３】
そして、前記開口部の前記支軸と対向する他側辺に沿って前後方向へ延びる複数のレールが上下あるいは上下左右に間隔を有して互いに平行に設置されており、前記複数の扉体は前記上方の支軸に一側縁を支持させたものの対向する他側縁が前記上部のレールに載り、前記下方の支軸に一側縁を支持させたものの対向する他側縁が前記下部のレールに載っているものとした場合は、各扉体を小さい力で円滑にスライドさせることができる。
【００１４】
また、前記複数の扉体をスライドさせて互いに重なるようにした状態からそれぞれの扉体を回動させて開いたとき、前記扉体の内で最上の支軸に一側縁を支持させたものは一側縁表面が前記開口部の一側辺に当接してほぼ直立の開扉位置を保持し、他の支軸に一側縁を支持させた扉体はその一側辺側の支軸に支持されて開扉位置とされている扉体の前記管状部片に当接してほぼ直立の開扉位置を保持するものとされている場合、あるいは前記複数の扉体が前記開口部のほぼ全部を覆った状態からそれぞれの扉体を回動させて開いたとき、前記扉体の内で最上の支軸に一側縁を支持させたものは一側縁表面が前記開口部の一側辺に当接してほぼ直立の開扉位置を保持し、他の支軸に一側縁を支持させた扉体はその上方の支軸に支持されて開扉位置とされている扉体に当接してほぼ直立の開扉位置を保持するものとされている場合は、各扉体を安定よく開き位置に保持することができる。
【００１５】
更に前記第一手段あるいは第二手段において、前記管状部片が短尺であってその複数個が前記扉体の後端縁裏面あるいは一側縁裏面に設けられている場合には回動およびスライドの摩擦抵抗が小さく開閉させやすい。
【００１６】
更にまた、前記第一手段において前記開口部の前辺に沿って複数のレールが互いに平行に設置されている場合、あるいは第二手段において前記開口部の支軸と対向する他側辺に沿って複数のレールが互いに平行に設置されている場合のレールが丸棒鋼で形成されていると、扉体の裏面が丸棒鋼に線接触の状態でスライドすることとなるため、一層小さい摩擦抵抗でスライドさせることができ、また、溝状のレールに嵌装する場合のようにレール内に塵埃が溜まって円滑なスライドが阻害されることがない。
【発明の効果】
【００１７】
従って本発明のゴミ収集箱は、比較的小さいゴミ袋を投入する際には扉体の一つを支軸に沿って適宜左右方向あるいは前後方向にスライドさせて開口部の一部を必要な大きさだけ開口し、或いは上側に位置する扉体を支軸を中心として回動させて一枚の扉体分だけ開口するなど、ゴミ袋の量や大きさに応じた極めて少ない労力での投入を可能とし、また全ての扉体を支軸を中心として回動させて開口部を全開することにより大量あるいは大きなゴミ袋に対応することもでき、箱体の隅にあるゴミ袋の回収もし易く、ゴミ袋を捨てる人にとってもまた回収作業をする人にとっても使い勝手の良いものとなった。
【発明を実施するための最良の形態】
【００１８】
以下に図面を参照して本発明の実施の形態を説明すると、図面の形態におけるゴミ収集箱は、金属やコンクリートなどの壁材、或いは枠体に金網やネットを張設した網材などによる壁材により囲まれて全体が箱形を呈している。そして箱体２を形成する上面２１が後方に向かって高くなるように傾斜しているとともにその後方に平坦部２２を有しており、前記上面２１に開口部２３が形成されている。
【００１９】
また、箱体２内には開口部２３の後辺２４に沿って左右方向に延びる複数の支軸３１，４１が対向する左右の側壁５１，５２間に上下および前後方向に所定間隔を有して互いに平行に架設され、前記開口部２３を覆って左右方向に並設された２枚の扉体６１，６２が、それらの後端縁裏面にそれぞれ設けた各二個の短尺の管状部片7１，７１，７２，７２を各支軸３１，４１に回動およびスライド可能にそれぞれ嵌装させて支持されている。
【００２０】
更に箱体２には前記開口部２３の前辺２５に沿って、丸棒鋼からなる２本のレール８１，８２が前後方向に所定間隔を有して互いに且つ支軸３１，４１と平行に前壁５３の上端に固定されて設けられ、これらのレール８１，８２に前記各扉体６１，６２の前端縁が載置されて、スライド可能に支持されている。
【００２１】
そして、前記支軸３１，４１およびレール８１，８２がそれぞれ所定間隔を有しており、一方の扉体６１を上方の支軸３１と前方のレール８１によって支持し、もう一方の扉体６２を下方の支軸４１と後方のレール８２によって支持したことにより、各扉体６１，６２は互いに干渉することなく引き違い状にスライド可能とされている。
【００２２】
また、本実施の形態では、前記各扉体６１，６２を支持する支軸３１，４１は、図２に示すように、下側に位置する扉体６２をその上側に位置する扉体６１とともに回動させて開口させたときに下側に位置する扉体６２の後端縁表面６２ａが上側に位置する扉体６１の支軸３１に挿通させた管状部片７１，７１に当接して下側の扉体６２をほぼ直立の開扉位置すなわち鉛直または少し後方へ傾いた状態に保持するように上下および前後方向に所定間隔を有して側壁５１，５２間に架設されており、また開口部２３の後辺２４には上方の支軸３１に支持される扉体６１を開放した際に扉体６１の後端縁表面６１ａが当接して扉体６１をほぼ直立の開扉位置に保持するための断面Ｌ字型の当接片２４ａが設けられている。
【００２３】
従って、各扉体６１，６２はそれぞれ支軸３１，４１を中心として回動させて開口させた際に、各扉体６１，６２がほぼ鉛直状態に保持されるので、扉体６１，６２から手を離した状態でゴミ袋の投入或いは取り出し作業ができるばかりでなく、各扉体６１，６２が必要以上に後方に倒れることもないので、扉を閉じる際の労力も少ない。
【００２４】
尚、図面中、符号６１ｂ，６２ｂは扉体６１，６２にそれぞれ設けた取手である。
【００２５】
以上のような構成を有する本実施の形態は、通常は図１に示すように右側の扉体６１と左側の扉体６２をそれぞれ開口部２３の右側と左側とに配置させて開口部２３を覆った状態としてある。そして、ゴミの収集に備えてゴミ袋をゴミ収集箱１内に投入する際に、ゴミ袋が開口部２３のほぼ半分以下の大きさである場合には、図３に示すように、例えば右側の扉体６１を取手６１ｂを掴んで左側の扉体６２側に引き寄せることにより、支軸３１とレール８１に沿ってスライドさせ、必要な大きさの開口２３ａを形成すればよく、次いで扉体６１を取手６１ａを掴んで右側に引いて図１に示す元の位置にスライドさせて開口部２３を閉じる。
【００２６】
このように本実施の形態では、比較的小さなゴミ袋を投入するには、扉体６１を持ち上げることなく、ただ左右方向へスライドさせるだけのきわめて少ない労力で開口２３ａの開閉が可能であり、片手にゴミ袋を持ったままでの開扉操作も容易で、きわめて操作性に優れている。
【００２７】
また、本実施の形態では、二つの扉体６１、６２の前端縁を支持しているレール８１，８２を丸棒鋼で形成したので、小さい摩擦抵抗でスライドさせることができ、また、溝状のレールに嵌装する場合のようにレール内に塵埃が溜まって円滑なスライドが阻害されることがない。
【００２８】
尚、ここでは、扉体６１を操作して右側に開口２３ａを形成する場合を示したが、左側に位置する扉体６２を扉体６１と同様に操作して左側に開口を形成してもよい。
【００２９】
更に、扉体６１，６２の一方をスライドさせて開口部２３のほぼ半分を開口させた状態で開口の大きさが不十分な場合には、図４に示すように、そのまま２枚の扉体６１，６２を重ねた状態で両扉体６１，６２を支軸３１，４１を中心として後方へ回動させて開口部２３を全開とすればよい。このとき、図２に２点鎖線で示すように、全開時には扉体６１の後端縁表面６１ａが開口部２３の後辺２４の当接片２４ａに、また扉体６２の後端縁表面６２ａが支軸３１に挿通された管状部片７１，７１にそれぞれ当接して、少なくともほぼ鉛直状態に保持されるので扉体６１，６２を手で押さえておく必要がなく、重いゴミ袋であっても両手を使って容易に箱体２内に投入することができる。
【００３０】
また、扉体６１をスライドさせることなく、図５に示すように支軸３１を中心として回動させることにより開口部２３のほぼ半分の大きさの開口２３ａを形成することもできる。
【００３１】
更に、大きなゴミ袋を箱体２内に投入するには、図６に示すように、両扉体６１，６２を支軸３１，４１を中心として後方へ回動させて開口部２３を全開とすればよい。このとき、扉体６１の後端縁表面６１ａが開口部２３の後辺２４の当接片２４ａに、また扉体６２の右側端縁表面６２ｃが支軸３１に支持されて開扉位置とされている扉体６１の左側端縁裏面６１ｃにそれぞれ当接して少なくともほぼ鉛直状態に保持されるので、扉体６１，６２を手で押さえておく必要がなく、重いゴミ袋であっても両手を使って容易に箱体２内に投入することができる。
【００３２】
尚、本実施の形態では扉体を左右二枚の扉体６１，６２としたが、箱体２の大きさや開口部の大きさなどに応じて三枚、四枚など適宜の枚数を選択すればよく、力の弱い者にとって容易に開閉操作可能なものとなる。
【００３３】
また、箱体２内に収容しているゴミ袋を取り出すには、前記図６に示すように開口部２３を全開として排出すればよいが、図７に示すように、前壁５３部分を開閉可能にするなど他の部分に排出口５３を設けてもよい。
【００３４】
以上のように、本実施の形態によれば、収容するゴミ袋の大きさに応じて開口部２３ａを形成すればよく、比較的小さなゴミ袋の場合には扉体６１または６２を横方向にスライドさせるだけの簡単な操作で開閉できるので少ない労力で使用することができ、また大型のゴミ袋にも簡単に全開して対応できるため、きわめて効率が良い。
【００３５】
次に第８図および第９図を参照して本発明の異なる実施の形態を説明すると、このゴミ収集箱も前記実施の態様のものと同様、金属やコンクリートなどの壁材、或いは枠体に金網やネットを張設した網材などによる壁材により囲まれて全体が箱形を呈している。
【００３６】
そして、箱体２内には開口部２３の一側辺２６に沿って前後方向に延びる複数の支軸３１，４１が対向する前壁５３、後壁５４間に上下および左右方向に所定間隔を有して互いに平行に架設され、前記開口部２３を覆って前後方向に並設された２枚の扉体６１，６２が、それらの一側縁裏面にそれぞれ設けた各二個の短尺の管状部片7１，７１，７２，７２を各支軸３１，４１に回動およびスライド可能にそれぞれ嵌装させて支持されている。
【００３７】
更に箱体２には前記開口部２３の他側辺２７に沿って、丸棒鋼からなる２本のレール８１，８２が前壁５３、後壁５４間に上下および左右方向に所定間隔を有して互いに且つ支軸３１，４１と平行に架設され、これらのレール８１，８２に前記各扉体６１，６２の他側縁が載置されて、スライド可能に支持されている。
【００３８】
そして、前記支軸３１，４１およびレール８１，８２がそれぞれ所定間隔を有しており、一方の扉体６１を上方の支軸３１と上方のレール８１によって支持し、もう一方の扉体６２を下方の支軸４１と下方のレール８２によって支持したことにより、各扉体６１，６２は互いに干渉することなく引き違い状にスライド可能とされている。
【００３９】
また、本実施の形態においても前記実施の形態と同様、前記各扉体６１，６２を支持する支軸３１，４１は、図８に示すように、下側に位置する扉体６２をその上側に位置する扉体６１とともに回動させて開口させたときに下側に位置する扉体６２の一側縁表面が上側に位置する扉体６１の支軸３１に挿通させた管状部片７１，７１に当接して下側の扉体６２をほぼ直立の開扉位置すなわち鉛直または少し左側へ傾いた状態に保持するように上下および左右方向に所定間隔を有して前壁５３，後壁５４間に架設されており、また開口部２３の側辺２６には上方の支軸３１に支持される扉体６１を開扉した際に扉体６１の一側縁表面が当接して扉体６１をほぼ直立の開扉位置に保持するための第２図符号２４ａに示したものと同様の断面Ｌ字型の当接片が設けられている（図示せず）。
【００４０】
そして、前記複数の扉体６１，６２が前記開口部２３のほぼ全部を覆った状態からそれぞれの扉体６１，６２を回動させて開いたときは、上方の支軸３１に一側縁を支持される扉体６１は一側縁表面が前記開口部２３の一側辺２６に設けられた当接片（図示せず）に当接してほぼ直立の開扉位置に保持され、下方の支軸４１に一側縁を支持された扉体６２はその上方の支軸３１に支持されて開扉位置とされている扉体６１の裏面に当接してほぼ直立の開扉位置を保持することとなるのも前記実施の形態の場合と同様である。
【００４１】
従って、各扉体６１，６２はそれぞれ支軸３１，４１を中心として回動させて開口させた際に、各扉体６１，６２がほぼ鉛直状態に保持されるので、扉体６１，６２から手を離した状態でゴミ袋の投入或いは取り出し作業ができるばかりでなく、各扉体６１，６２が必要以上に左側に倒れることもないので、扉を閉じる際の労力も少ない。
【００４２】
また、二つの扉体６１、６２の他側縁を支持しているレール８１，８２を丸棒鋼で形成したので、小さい摩擦抵抗でスライドさせることができ、また、溝状のレールに嵌装する場合のようにレール内に塵埃が溜まって円滑なスライドが阻害されることがない。
【００４３】
従って本実施の形態においても前記実施の形態同様、収容するゴミ袋の大きさに応じて開口部２３を形成すればよく、比較的小さなゴミ袋の場合には扉体６１または６２を前後方向にスライドさせるだけの簡単な操作で開閉できるので少ない労力で使用することができ、また大型のゴミ袋にも簡単に全開して対応できるため、きわめて使い勝手が良い。殊に本実施の形態の場合には、扉体６１，６２をスライドさせる時に力を加える方向が身体側から前方へまっすぐに押す、あるいは手前に引くこととなって力を加えやすく、また回動させて開ける時は扉体６１，６２の前端が左右方向に動くので身体から遠くならず小柄な人にも扱いやすく、さらに扉体６１を一枚分スライドさせるだけで、開口部の左右方向が全開となるので、長尺のゴミを投入するとき便利である。
【図面の簡単な説明】
【００４４】
【図１】本発明の実施の形態を示す斜視図。
【図２】図１のＡ−Ａ線に沿う拡大断面図。
【図３】図１に示した実施の形態の使用状態を示す斜視図。
【図４】図１に示した実施の形態の使用状態を示す斜視図。
【図５】図１に示した実施の形態の使用状態を示す斜視図。
【図６】図１に示した実施の形態の使用状態を示す斜視図。
【図７】本発明の異なる実施の形態を示す斜視図。
【図８】本発明の更に異なる実施の形態を示す斜視図。
【図９】図８の拡大縦断面部分図。
【符号の説明】
【００４５】
１  ゴミ収集箱    ２  箱体    ２１  上面    ２３  開口部    ２４  後辺
２４ａ  当接片    ２５  前辺    ２６  側辺    ２７  他側辺    ３１  支軸４１  支軸    ５１  側壁    ５２  側壁    ５３  前壁    ５４  後壁
６１  扉体    ６１ａ後端縁表面    ６２  扉体    ６２ａ後端縁表面
７１  管状部片    ７２  管状部片
【図１】
2005082388.tif 000003
【図２】
2005082388.tif 000004
【図３】
2005082388.tif 000005
【図４】
2005082388.tif 000006
【図５】
2005082388.tif 000007
【図６】
2005082388.tif 000008
【図７】
2005082388.tif 000009
【図８】
2005082388.tif 000010
【図９】
2005082388.tif 000011